(57)【要約】【課題】パネルスピーカを備える無線通信端末において、ユーザの利便性を向上させる技術を提供する。【解決手段】無線通信端末１００は、振動により音声を出力するパネルスピーカ２２と、パネルスピーカ２２に接触するユーザの接触位置に基づいて、パネルスピーカ２２におけるユーザの聴取位置を検出するタッチパネルと、パネルスピーカ２２から出力される音声の音響特性が所定の基準を満たす領域を示す聴取エリア情報を記憶する記憶部と、パネルスピーカ２２による音声の出力時に、タッチパネルにより検出されるユーザの聴取位置と、聴取エリア情報に示される領域とに基づいて、パネルスピーカ２２が出力する音声をユーザが聴取するのに適した位置を示す報知を行うプロセッサとを備える。【選択図】図８
2014090324.tif 000002
【特許請求の範囲】
【請求項１】
無線通信端末であって、
ディスプレイ上に配置される板状の部材により構成され、当該板状の部材の振動により音声を出力するパネルスピーカと、
前記パネルスピーカに接触するユーザの接触部分を検出する検出部と、
前記パネルスピーカの前記板状の部材において、音響特性が所定の基準を満たす領域を示すエリア情報を記憶する記憶部と、
前記パネルスピーカによる音声の出力時に、前記検出部により検出されるユーザの接触部分と、前記エリア情報に示される領域とに基づいて、ユーザが前記パネルスピーカにより出力される音声の聴取に適した位置を示すための報知を行う制御部とを備える、
無線通信端末。
【請求項２】
前記制御部は、
前記検出部により検出されるユーザの接触部分が前記エリア情報に示される領域に含まれるか否かを判定する位置判定部と、
前記位置判定部による判定結果に応じて、前記ユーザによる聴取に適した位置を示すための報知を行う報知制御部とを含み、
前記報知制御部は、前記位置判定部により前記ユーザの接触部分が前記エリア情報に示される領域に含まれると判定される場合に、前記ユーザの接触部分が前記パネルスピーカから出力される音声の聴取に適した位置であることを示す報知を行う、
請求項１記載の無線通信端末。
【請求項３】
前記制御部は、
前記検出部により検出されるユーザの接触部分が前記エリア情報に示される領域に含まれるか否かを判定する位置判定部と、
前記位置判定部による判定結果に応じて、前記ユーザによる聴取に適した位置を示すための報知を行う報知制御部とを含み、
前記位置判定部は、前記ユーザの接触部分が前記エリア情報に示される領域に含まれないと判定する場合に、前記ユーザの接触部分と、前記エリア情報に示される領域に含まれる所定の座標との差分ベクトルを示す差分情報を算出し、
前記報知制御部は、前記位置判定部により前記ユーザの接触部分が前記エリア情報に示される領域に含まれないと判定される場合に、前記位置判定部が算出する差分情報に基づいて、前記ユーザの接触部分と前記パネルスピーカから出力される音声の聴取に適した位置との差分を示すための報知を行う、
請求項１記載の無線通信端末。
【請求項４】
前記報知制御部は、前記位置判定部が算出する差分情報に基づいて、前記ユーザの接触部分と、前記エリア情報に示される領域に含まれる所定の座標との距離を取得し、前記取得した距離の増減に応じて前記報知の方法を制御する、
請求項３記載の無線通信端末。
【請求項５】
前記位置判定部は、
前記検出部により検出されるユーザの接触部分が、前記エリア情報に示される領域に含まれるか否かを逐次判定し、
前記報知制御部は、前記位置判定部により前記ユーザの接触部分が前記エリア情報に示される領域に含まれると判定された期間が所定期間を超えるまで前記検出部による前記ユーザの接触部分の検出を行い、前記所定期間を超えた場合に、前記検出部による前記ユーザの接触部分の検出を抑止する、
請求項２から４のいずれか１項に記載の無線通信端末。
【請求項６】
無線通信端末の報知を制御するための方法であって、
前記無線通信端末は、ディスプレイ上に配置される板状の部材により構成されて当該板状の部材の振動により音声を出力するパネルスピーカと、前記パネルスピーカの前記板状の部材において、音響特性が所定の基準を満たす領域を示すエリア情報を記憶するメモリとを備え、
前記方法は、
前記無線通信端末が、前記パネルスピーカに接触するユーザの接触部分を検出するステップと、
前記無線通信端末が、前記パネルスピーカによる音声の出力時に、前記検出されるユーザの接触部分と、前記エリア情報に示される領域とに基づいて、ユーザが前記パネルスピーカにより出力される音声の聴取に適した位置を示すための報知を行うステップとを含む、
方法。
【請求項７】
無線通信端末の報知処理を制御するためのプログラムであって、前記無線通信端末は、ディスプレイ上に配置される板状の部材により構成されて当該板状の部材の振動により音声を出力するパネルスピーカと、プロセッサと、前記パネルスピーカの前記板状の部材において、音響特性が所定の基準を満たす領域を示すエリア情報を記憶するメモリとを備えており、
前記プログラムは、前記プロセッサに、
前記パネルスピーカに接触するユーザの接触部分を検出するステップと、
前記パネルスピーカによる音声の出力時に、前記検出されるユーザの接触部分と、前記エリア情報に示される領域とに基づいて、ユーザが前記パネルスピーカにより出力される音声の聴取に適した位置を示すための報知を行うステップとを実行させる、
プログラム。
【発明の詳細な説明】
【技術分野】
【０００１】
本発明は、ディスプレイに設けられたパネル部材が振動することにより音声を出力するパネルスピーカを備える無線通信端末に関し、特に、ユーザの利便性を向上させるための技術に関する。
【背景技術】
【０００２】
近年、無線通信端末のディスプレイのフロントパネル自体が振動してスピーカの役割を果たすパネルスピーカを備える無線通信端末が普及している。パネルスピーカを備える無線通信端末は、例えば、ユーザが音声通話をする際に、ユーザがディスプレイに耳をかざすという容易な操作により、パネルスピーカから出力される音声を聞き取ることができる。
【０００３】
パネルスピーカから出力される音声の音圧はパネル上の位置によって異なり、音圧が高い位置ほどユーザにとっては音声を聞き取りやすい傾向がある。そのため、パネルスピーカのパネル上の音声出力を聞き取りやすい位置をユーザに通知するための様々な技術が知られている。例えば、特開２００６−１３５８５８号公報（特許文献１）は、フラットパネルスピーカを搭載した携帯情報端末において、ＬＣＤ（Liquid  Crystal  Display）の表示画面中の所定位置に、携帯情報端末を利用する利用者がＬＣＤに対して耳を当てる位置を利用者に視認させるための画面表示をする技術を開示している。この特許文献１によると、ユーザは、例えば通話前において、ＬＣＤの表示内容を確認することで、ユーザの耳をＬＣＤのどの位置に当てるべきかを視認することができる。
【先行技術文献】
【特許文献】
【０００４】
【特許文献１】特開２００６−１３５８５８号公報
【発明の概要】
【発明が解決しようとする課題】
【０００５】
特許文献１記載の技術によると、ユーザが耳を当てることが好ましい位置の画面がディスプレイに表示されている。しかし、例えば通話中などユーザがパネルを目視できない場合において、ユーザは、音声の聴取に最適な位置を知ることが困難である。
【０００６】
したがって、パネルスピーカを備える無線通信端末において、音響特性が優れた位置でユーザがパネルスピーカから音声を聴取することを容易にすることでユーザの利便性を向上させる技術が必要とされている。
【０００７】
そこで、本発明は、パネルスピーカを備える無線通信端末において、ユーザの利便性を向上させる技術を提供することを目的とする。
【課題を解決するための手段】
【０００８】
一実施形態に従う無線通信端末は、ディスプレイ上に配置される板状の部材により構成され、板状の部材の振動により音声を出力するパネルスピーカと、パネルスピーカに接触するユーザの接触部分を検出する検出部と、パネルスピーカの板状の部材において、音響特性が所定の基準を満たす領域を示すエリア情報を記憶する記憶部と、パネルスピーカによる音声の出力時に、検出部により検出されるユーザの接触部分と、エリア情報に示される領域とに基づいて、ユーザがパネルスピーカにより出力される音声の聴取に適した位置を示すための報知を行う制御部とを備える。
【０００９】
好ましくは、制御部は、検出部により検出されるユーザの接触部分がエリア情報に示される領域に含まれるか否かを判定する位置判定部と、位置判定部による判定結果に応じて、ユーザによる聴取に適した位置を示すための報知を行う報知制御部とを含み、報知制御部は、位置判定部によりユーザの接触部分がエリア情報に示される領域に含まれると判定される場合に、ユーザの接触部分がパネルスピーカから出力される音声の聴取に適した位置であることを示す報知を行うこととしてもよい。
【００１０】
好ましくは、制御部は、検出部により検出されるユーザの接触部分がエリア情報に示される領域に含まれるか否かを判定する位置判定部と、位置判定部による判定結果に応じて、ユーザによる聴取に適した位置を示すための報知を行う報知制御部とを含み、位置判定部は、ユーザの接触部分がエリア情報に示される領域に含まれないと判定する場合に、ユーザの接触部分と、エリア情報に示される領域に含まれる所定の座標との差分ベクトルを示す差分情報を算出し、報知制御部は、位置判定部によりユーザの接触部分がエリア情報に示される領域に含まれないと判定される場合に、位置判定部が算出する差分情報に基づいて、ユーザの接触部分とパネルスピーカから出力される音声の聴取に適した位置との差分を示すための報知を行うこととしてもよい。
【００１１】
好ましくは、報知制御部は、位置判定部が算出する差分情報に基づいて、ユーザの接触部分と、エリア情報に示される領域に含まれる所定の座標との距離を取得し、取得した距離の増減に応じて報知の方法を制御することとしてもよい。
【００１２】
好ましくは、位置判定部は、検出部により検出されるユーザの接触部分が、エリア情報に示される領域に含まれるか否かを逐次判定し、報知制御部は、位置判定部によりユーザの接触部分がエリア情報に示される領域に含まれると判定された期間が所定期間を超えるまで検出部によるユーザの接触部分の検出を行い、所定期間を超えた場合に、検出部によるユーザの接触部分の検出を抑止することとしてもよい。
【００１３】
別の実施形態に従うと、無線通信端末の報知を制御するための方法が提供される。無線通信端末は、ディスプレイ上に配置される板状の部材により構成されて板状の部材の振動により音声を出力するパネルスピーカと、パネルスピーカの板状の部材において、音響特性が所定の基準を満たす領域を示すエリア情報を記憶するメモリとを備える。この方法は、無線通信端末が、パネルスピーカに接触するユーザの接触部分を検出するステップと、無線通信端末が、パネルスピーカによる音声の出力時に、検出されるユーザの接触部分と、エリア情報に示される領域とに基づいて、ユーザがパネルスピーカにより出力される音声の聴取に適した位置を示すための報知を行うステップとを含む。
【００１４】
別の実施形態に従うと、無線通信端末の報知処理を制御するためのプログラムが提供される。無線通信端末は、ディスプレイ上に配置される板状の部材により構成されて板状の部材の振動により音声を出力するパネルスピーカと、プロセッサと、パネルスピーカの板状の部材において、音響特性が所定の基準を満たす領域を示すエリア情報を記憶するメモリとを備える。このプログラムは、プロセッサに、パネルスピーカに接触するユーザの接触部分を検出するステップと、パネルスピーカによる音声の出力時に、検出されるユーザの接触部分と、エリア情報に示される領域とに基づいて、ユーザがパネルスピーカにより出力される音声の聴取に適した位置を示すための報知を行うステップとを実行させる。
【発明の効果】
【００１５】
上記一実施形態によると、パネルスピーカを備える無線通信端末において、パネルから出力される音声をユーザが聴取するための好ましい聴取位置をユーザが容易に把握することができ、ユーザの利便性が向上する。
【００１６】
この発明の上記および他の目的、特徴、局面および利点は、添付の図面と関連して理解されるこの発明に関する次の詳細な説明から明らかとなるであろう。
【図面の簡単な説明】
【００１７】
【図１】無線通信端末１００が備えるパネルスピーカ２２から出力される音声をユーザがパネルスピーカ２２に耳を当てて聞いている状態を示す図である。
【図２】無線通信端末１００の構成を示す機能ブロック図である。
【図３】無線通信端末１００のパネルスピーカ２２から音声が出力される面における各領域の位置を示す図である。
【図４】領域７１、領域７２、領域７３、領域７４、領域７５の各領域の音響特性を示す図である。
【図５】パネルスピーカ２２から出力される音声の聴取に好ましい領域（聴取エリア）と、ユーザの耳がパネルスピーカ２２に接触している位置との関係を示す図である。
【図６】記憶部２６に記憶される聴取エリア情報４２を示す図である。
【図７】無線通信端末１００がパネルスピーカ２２によって音声出力を行うための動作を示す図である。
【図８】ユーザがパネルスピーカ２２に接触している位置と、パネルスピーカ２２から出力される音声の聴取に適した領域とに基づいて、無線通信端末１００がユーザに聴取に好ましい位置を報知する処理の例を示す図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜パネルスピーカを備える無線通信端末の概略＞
図１を参照して、本実施形態の無線通信端末１００の概略を説明する。無線通信端末１００は、タッチパネルディスプレイにパネルスピーカ２２（パネルレシーバとも言う）を備える。図１は、無線通信端末１００が備えるパネルスピーカ２２から出力される音声をユーザがパネルスピーカ２２に耳を当てて聞いている状態を示す図である。
【００２０】
図１に示すように、無線通信端末１００は、パネルスピーカ２２を含み、パネルスピーカ２２から音声が出力される。パネルスピーカ２２は、アクチュエータ等により駆動され、パネル全体から音声を出力する。パネルスピーカ２２から出力される音声の音響特性は、無線通信端末１００がパネルスピーカ２２を備える面において、その面上の位置に応じて異なる。また、無線通信端末１００は、操作部１５（図１では操作部１５Ａ、操作部１５Ｂ、操作部１５Ｃの３つの操作部材を示している）を含み、操作部１５によってユーザの入力操作を受け付ける。また、無線通信端末１００は、タッチパネルディスプレイによってパネルスピーカ２２へのユーザの接触位置を検出する。
【００２１】
本実施形態の無線通信端末１００は、パネルスピーカ２２のパネル上の音響特性が優れた位置（ユーザにとって好ましい聴取位置）をユーザに認識させるため音声や振動等による報知を行い、また、ユーザに対し、音響特性が優れた位置でパネルスピーカ２２から音声を聴取するよう促すための報知を行う。
【００２２】
例えば、無線通信端末１００が通話処理を行っている場合に、無線通信端末１００は、ユーザがパネルスピーカ２２に対して耳を当てている位置をタッチパネルによって検出する。無線通信端末１００は、パネルスピーカ２２へのユーザの耳の接触位置に応じて、音響特性が優れた位置へとユーザの耳の位置の移動を促す報知をパネルスピーカ２２等によって行う。ユーザは、この無線通信端末１００による報知に基づいて、無線通信端末１００を手に把持して移動させること等によってパネルスピーカ２２からの音声の聴取位置を調節する。無線通信端末１００は、タッチパネルの検出結果に基づいて、パネルスピーカ２２において音声が出力される面に対してユーザが最適な聴取位置へ耳を移動させたか否かを判定し、判定結果の報知を、無線通信端末１００のバイブレータの振動等によって行う。
【００２３】
これにより、無線通信端末１００は、ユーザに対しパネルスピーカ２２の音響特性の優れた位置を認識させることができ、パネルスピーカ２２の音響特性の優れた位置へユーザが耳を移動させることを容易にする。
【００２４】
＜無線通信端末１００の構成＞
次に、図２を参照して無線通信端末１００の構成について説明する。図２は、無線通信端末１００の構成を示す機能ブロック図である。無線通信端末１００は、アンテナ１１と、無線ＲＦ（Radio  Frequency）部１２と、電源１３と、電源制御部１４と、操作部１５と、プロセッサ１６と、近接センサ１７と、照度センサ１８と、調光制御部１９と、音声信号処理部２０と、パネルスピーカ駆動部２１と、パネルスピーカ２２と、ディスプレイドライバ２３と、タッチパネル２４と、コントローラ２５と、記憶部２６と、ＬＣＤ（Liquid  Crystal  Display）２７と、報知部２８とを含む。無線通信端末１００は、様々な通信規格に従って音声通話を行うことができる。例えば、無線通信端末１００は、ＬＴＥ（Long  Term  Evolution）、Ｗ−ＣＤＭＡ（Wideband  Code  Division  Multiple  Access）、ＩＥＥＥ（The  Institute  of  Electrical  and  Electronic  Engineers）８０２．１１等の無線通信規格に対応している。無線通信端末１００は、これら通信規格に従って無線通信することで、他の端末と音声通話をすることができる。
【００２５】
アンテナ１１は、無線通信端末１００が送信する信号を電波として放射する。また、アンテナ１１は、空間から電波を受信して受信信号を無線ＲＦ部１２へ出力する。
【００２６】
無線ＲＦ部１２は、アンテナ１１から出力される高周波信号を受信して、無線通信端末１００で処理できる周波数の信号へと変換する。また、無線ＲＦ部１２は、増幅器等を含み、無線通信端末１００が送信する信号を、アンテナ送信周波数へと変換する。
【００２７】
電源１３は、無線通信端末１００を構成する各部材に電力を供給するための供給源であり、例えばリチウムイオン二次電池等により実現される。
【００２８】
電源制御部１４は、無線通信端末１００の動作の状態に応じて無線通信端末１００の各部材への電力の供給を制御する。例えば、電源制御部１４は、無線通信端末１００がユーザによって操作されていない待機状態において、無線通信端末１００が間欠受信するため無線ＲＦ部１２等への電力の供給を制御する。また、例えば電源制御部１４は、タッチパネル２４への電力の供給やＬＣＤ２７のバックライトへの電力供給などを制御することで、無線通信端末１００の消費電力を低くする。
【００２９】
操作部１５は、ユーザによる入力操作を受け付けるための操作部材を含む。例えば、操作部１５がユーザによる入力操作を受け付けることで、無線通信端末１００は、メニュー画面等をＬＣＤ２７に表示する。
【００３０】
プロセッサ１６は、ＣＰＵ（Central  Processing  Unit）、ＲＯＭ(Read  Only  Memory）、ＲＡＭ（Random  Access  Memory）等を含み、無線通信端末１００による無線通信処理、ＬＣＤ２７への表示処理、およびタッチパネル２４により検出されるユーザの操作に応じた処理等を行って無線通信端末１００の動作を制御する。プロセッサ１６は、プログラムに従って動作することにより、位置判定部５１と報知制御部５２としての機能を発揮する。
【００３１】
位置判定部５１は、無線通信端末１００がパネルスピーカ２２によって音声を出力している場合に、パネルスピーカ２２から出力される音声をユーザが聴取している位置が、音声の聴取に適した聴取エリアに含まれているか否かを判定する。位置判定部５１は、無線通信端末１００がパネルスピーカ２２によって音声を出力している場合に、ユーザがパネルスピーカ２２に耳を接触させている場合のパネルスピーカ２２との接触部分を、タッチパネル２４によって検出する。位置判定部５１は、この検出結果に示されるユーザの聴取位置が、パネルスピーカ２２の所定の領域に含まれるか否かを判定する。
【００３２】
報知制御部５２は、位置判定部５１の判定結果に応じて、ユーザに対し、パネルスピーカ２２からの音声出力の聴取に適した位置を示すための報知を制御する。報知制御部５２は、パネルスピーカ２２や報知部２８の動作を制御することで、パネルスピーカ２２からの音声出力の聴取に適した位置をユーザに報知してユーザの聴取位置の移動を促すための処理を行う。
【００３３】
近接センサ１７は、例えば赤外線を出力する発光素子と、赤外線を受光する受光素子とを備え、人の顔や耳などの検出対象が近づいたか否か、検出対象が近くにあるか否かを非接触で検出し、検出結果を電気信号として出力する。
【００３４】
照度センサ１８は、無線通信端末１００の周辺の照度を検出するためのセンサであり、例えば人間の視感度の特性に応じた分光感度を有する。調光制御部１９は、照度センサ１８の検出結果に応じて、ＬＣＤ２７のバックライトの発光量を制御する。
【００３５】
音声信号処理部２０は、パネルスピーカ２２により音声を出力させるための復号処理等の音声信号処理を行う。パネルスピーカ駆動部２１は、パネルスピーカ２２が備えるアクチュエータ等の駆動を制御することによって、パネルスピーカ２２による音声出力を制御する。パネルスピーカ２２は、振動により音声を出力するためのパネルを含み、ＬＣＤ２７およびタッチパネル２４の前面に配置される。
【００３６】
ディスプレイドライバ２３は、無線通信端末１００が表示すべき映像をＬＣＤ２７に表示するため、表示すべき内容に従ってＬＣＤ２７の駆動を制御する。タッチパネル２４は、例えば静電容量方式によりユーザの接触を検出し、検出結果に基づいて電気信号を出力する。コントローラ２５は、タッチパネル２４がユーザの接触を検出するためのスキャン処理の開始および終了等のタッチパネル２４の駆動を制御する。
【００３７】
記憶部２６は、ＲＯＭ、ＲＡＭなどのメモリ回路などにより構成され、無線通信端末１００を動作させるためのプログラム、音声データ４１および聴取エリア情報４２等を記憶する。音声データ４１は、無線通信端末１００が音声通話等により取得した音声データであり、パネルスピーカ２２等から音声データ４１に基づく音声が出力される。聴取エリア情報４２は、パネルスピーカ２２において、パネルスピーカ２２から出力される音声の音響特性が所定の音圧レベルを超えている領域であって、ユーザがパネルスピーカ２２から音声を聴取する場合に音声の聴取に好ましい領域を示す。
【００３８】
ＬＣＤ２７は、液晶パネル、バックライト等を含み、ディスプレイドライバ２３の制御に従って映像を表示する。また、ＬＣＤ２７は、調光制御部１９の制御に従ってバックライトの発光量を調節する。
【００３９】
報知部２８は、バイブレータ３１を含み、プロセッサ１６の制御に従ってバイブレータ３１により無線通信端末１００を振動させる。
【００４０】
＜パネルスピーカの音響特性＞
図３および図４を参照して、パネルスピーカ２２の音響特性について説明する。パネルスピーカ２２の音響特性は、無線通信端末１００のパネルスピーカ２２から音声が出力される面のそれぞれの箇所において異なり、音響特性が良好でユーザによる音声の聴取に好ましい箇所がある。図３は、無線通信端末１００のパネルスピーカ２２から音声が出力される面における各領域の位置を示す図である。図４は、各領域の音響特性を示す図である。
【００４１】
図３に示すように、無線通信端末１００の筺体上側およびパネル上の各領域を、領域７１、領域７２、領域７３、領域７４、領域７５とする。領域７１は、筺体上側の端部（筺体の角）にある領域である。領域７３は、筺体上側の中央部にある領域である。領域７２は、筺体上側において、領域７１と領域７３の中間付近にある領域である。また、領域７５は、無線通信端末１００のパネルの中央付近にある領域である。領域７４は、領域７５と領域７３との中間付近にある領域である。
【００４２】
図４は、領域７１、領域７２、領域７３、領域７４、領域７５の各領域の音響特性を示す図である。図４は、パネルスピーカ２２から音声を出力した際に、ユーザの聴取に好ましい音圧レベルの閾値として第１の閾値レベルＬ１と第２の閾値レベルＬ２とを示している。図３および図４に示す例では、領域７３の音響特性が良好であり、第２の閾値レベルＬ２を超えている。また、領域７２の音響特性も良好であり、第１の閾値レベルＬ１を超えている。
【００４３】
そのため、例えば、無線通信端末１００は、音声着信時等においては領域７２または領域７３に示す領域へとユーザの聴取位置を移動させるようユーザに促すため報知する処理を行う。また、聴力が低下しているユーザに対しては、無線通信端末１００は、領域７３に示す領域へとユーザの聴取位置を移動させるようユーザに促すため報知する処理を行う。
【００４４】
なお、目安位置表示部７６は、パネルスピーカ２２の音響特性が良好な位置を示すための標章である。
【００４５】
＜聴取エリア情報４２＞
図５および図６を参照して、記憶部２６に記憶される聴取エリア情報４２について説明する。聴取エリア情報４２は、パネルスピーカ２２において、パネルスピーカ２２から出力される音声の音響特性が良好となる領域を管理するためのものである。この領域は、ユーザがパネルスピーカ２２から出力される音声を聴取する場合に、聴取に好ましい領域である。図５および図６では、図４に示す第１の閾値レベルＬ１と第２の閾値レベルＬ２とに対応して、聴取に好ましい領域を２つ設定する場合の例を示している。
【００４６】
図５は、パネルスピーカ２２から出力される音声の聴取に好ましい領域（聴取エリア）と、ユーザの耳がパネルスピーカ２２に接触している位置との関係を示す図である。図５に示すように、無線通信端末１００は、パネルスピーカ２２から出力される音声の音響特性が良好となる領域として、高品質聴取エリア７７と通常品質聴取エリア７８とを設定として記憶している。高品質聴取エリア７７は、図４に示す第２の閾値レベルＬ２を超えた音圧レベルにより出力される領域に対応し、通常品質聴取エリア７８は、第１の閾値レベルＬ１を超えた音圧レベルにより出力される領域に対応するものとして説明する。位置判定部５１は、タッチパネル２４の検出結果を介してユーザがパネルスピーカ２２に耳を接触させている位置を検出し、検出されたユーザの耳の位置が、高品質聴取エリア７７または通常品質聴取エリア７８に示す領域に含まれるか否かを判定する。報知制御部５２は、位置判定部５１の判定結果に基づいて、ユーザの聴取位置を高品質聴取エリア７７または通常品質聴取エリア７８へ移動させるよう促すための報知を実行する。
【００４７】
図６は、記憶部２６に記憶される聴取エリア情報４２を示す図である。図６に示すように、聴取エリア情報４２の各レコードは、聴取モード４３と、座標範囲４４とから構成される。無線通信端末１００は、ユーザの可聴音域等の個人差に対応して、パネルスピーカ２２から出力される音声を聴取するためのモード（聴取モード）を複数備えている。聴取モード４３は、聴取モードそれぞれに対応し、「高品質」および「通常品質」の２種類を図６において示している。座標範囲４４は、パネルスピーカ２２上の位置を、例えばｘ軸およびｙ軸による座標値によって示すこととした場合に、各聴取モードについて、パネルスピーカ２２における聴取に好ましい領域を矩形領域としたときの対角線上の２点の座標値を示している。例えば、図５に示す高品質聴取エリア７７は、図６の聴取モード「高品質」の座標範囲４４に対応し、図５に示す通常品質聴取エリア７８は、図６の聴取モード「通常品質」の座標範囲４４に対応する。なお、パネルスピーカ２２上の座標値の範囲は、例えばタッチパネル２４が接触操作を検出できる精度に応じて定義することとしてもよい。
【００４８】
＜動作＞
次に、図７を参照して無線通信端末１００の動作について説明する。図７は、無線通信端末１００がパネルスピーカ２２によって音声出力を行うための動作を示す図である。無線通信端末１００は、例えば音声着信や音声データを再生する時などにパネルスピーカ２２による音声出力を開始する。
【００４９】
ステップＳ１において、プロセッサ１６は、近接センサ１７による検出を開始する。
ステップＳ３において、プロセッサ１６は、近接センサ１７の出力結果に基づいて、近接センサ１７が無線通信端末１００の周囲の所定範囲内に近接する物体（人間の顔や耳など）を検出したか否かを判断する。プロセッサ１６は、近接センサ１７が無線通信端末１００の周囲の所定範囲内に近接する物体を検出しない場合は（ステップＳ３においてＮＯ）、ステップＳ４の処理を実行する。プロセッサ１６は、近接センサ１７が無線通信端末１００に近接する物体を検出した場合は（ステップＳ３においてＹＥＳ）、ステップＳ５の処理を実行する。
【００５０】
ステップＳ４において、プロセッサ１６は、音声通信などパネルスピーカ２２による音声出力を伴う処理の実行状況に基づいて、パネルスピーカ２２による音声出力を終了するか継続するかを判断する。例えば、プロセッサ１６は、パネルスピーカ２２による音声出力を停止する操作がなされたか否か、また、音声着信など音声出力処理を必要とする処理が終了したか否かに基づいて、パネルスピーカ２２による音声出力を終了するか継続するかを判断する。プロセッサ１６は、パネルスピーカ２２による音声出力を継続する場合は（ステップＳ４においてＮＯ）、再びステップＳ３の処理を実行する。プロセッサ１６は、パネルスピーカ２２による音声出力を終了する場合は（ステップＳ４においてＹＥＳ）、処理を終了する。
【００５１】
ステップＳ５において、プロセッサ１６は、コントローラ２５に指示を出力してタッチパネル２４のスキャン動作を開始させる。
【００５２】
例えば、プロセッサ１６は、ユーザの耳がパネルスピーカ２２に近接したことを近接センサ１７によって検出することで（ステップＳ３においてＹＥＳ）、ユーザの耳がパネルスピーカ２２に接触している位置を検出するためにコントローラ２５に指示を出力してタッチパネル２４のスキャン動作を開始させる（ステップＳ５）。例えば、プロセッサ１６は、１０秒ごとにタッチパネル２４にスキャン動作をさせてもよい。
【００５３】
ステップＳ７において、プロセッサ１６は、タッチパネル２４の出力結果に基づいて、ユーザの耳がパネルスピーカ２２と接触している位置の座標値を算出する。例えば、タッチパネル２４が複数箇所の接触を検出する場合、これら複数箇所の検出結果に示される各座標値の平均値を、ユーザの耳がパネルスピーカ２２に接触している位置の座標値として算出する。プロセッサ１６は、ユーザの耳がパネルスピーカ２２に接触している位置の座標値を算出すると、聴取モード（本実施形態では、「高品質」または「通常品質」のいずれか）の設定に応じて、算出されたユーザの耳の座標値と、聴取エリア情報４２に示される各聴取モードの各領域とを比較して、算出された座標値が聴取エリア情報４２に示される各領域に含まれるか否かを判定する。例えば、無線通信端末１００が聴取モード「高品質」に設定されている場合は、プロセッサ１６は、聴取エリア情報４２の「高品質」に対応して座標範囲４４に示される領域に、算出された座標値が含まれるか否かを判定する。ステップＳ７において、ユーザがパネルスピーカ２２に接触している位置の座標値が、聴取エリア情報４２に示される領域内でなければ（ステップＳ７においてＮＯ）、ステップＳ９の処理を実行する。ステップＳ７において、ユーザがパネルスピーカ２２に接触している位置の座標値が、聴取エリア情報４２に示される領域内であれば（ステップＳ７においてＹＥＳ）、プロセッサ１６は、ステップＳ１５の処理を実行する。
【００５４】
ステップＳ９において、プロセッサ１６は、ステップＳ７で算出したユーザの接触位置の座標値と、聴取モードに対応して座標範囲４４に示される領域に含まれる任意の座標値との差分値（差分ベクトル）を算出する。例えば、プロセッサ１６は、ユーザの接触位置の座標値と、聴取モードに対応して座標範囲４４に示される領域の中心点の座標値との差分を上記差分ベクトルとして算出する。
【００５５】
ステップＳ１１において、プロセッサ１６は、ステップＳ９で算出した差分ベクトルに基づいて、ユーザに対し、ユーザがパネルスピーカ２２に接触している位置と、座標範囲４４に示される領域とのずれをバイブレータ３１等によって報知する。例えば、プロセッサ１６は、パネルスピーカ２２による音声出力と、バイブレータ３１の振動等によって、ユーザの耳がパネルスピーカ２２に接触する位置と座標範囲４４に示される領域とのずれを報知する。このプロセッサ１６によるずれの報知の方法の例は、後述する。
【００５６】
ステップＳ１３において、プロセッサ１６は、音声通信などパネルスピーカ２２による音声出力を伴う処理の実行状況に基づいて、パネルスピーカ２２による音声出力を終了するか継続するかを判断する。プロセッサ１６は、音声出力を継続する場合は（ステップＳ１３においてＮＯ）、再びステップＳ７の処理を実行する。プロセッサ１６は、パネルスピーカ２２による音声出力を終了する場合は（ステップＳ１３においてＹＥＳ）、処理を終了する。これらステップＳ９、ステップＳ１１、ステップＳ１３の処理は、例えば１秒ごとにループされる構成であってもよい。
【００５７】
ステップＳ１５において、プロセッサ１６は、ユーザに対し、パネルスピーカ２２からの音声出力をユーザが聴取している聴取位置が聴取に好ましい位置であることをバイブレータ３１等によって報知する。
【００５８】
ステップＳ１７において、プロセッサ１６は、ユーザがパネルスピーカ２２に接触している位置の算出結果に示される座標値が聴取エリア情報４２に示される領域内に所定期間以上含まれているか否かを判定する。プロセッサ１６は、ユーザがパネルスピーカ２２に接触している位置の座標値が聴取エリア情報４２に示される領域に含まれている期間のカウントを開始し、ユーザがパネルスピーカ２２に接触している位置の座標値を、タッチパネル２４によって逐次検出する。例えば、プロセッサ１６は、１秒ごとにユーザがパネルスピーカ２２に接触している位置の座標値を算出する。プロセッサ１６は、ユーザがパネルスピーカ２２に接触している位置の座標値が聴取エリア情報４２に示される領域内に含まれている期間が所定期間（例えば、３秒程度）を超えるか否かを判断する。
【００５９】
ステップＳ１７において、ユーザがパネルスピーカ２２に接触している位置の座標値が、カウントを開始してから所定期間に満たない間に聴取エリア情報４２に示される領域の外部に移動した場合は（ステップＳ１７においてＮＯ）、プロセッサ１６は、ステップＳ１３の処理を実行する。
【００６０】
プロセッサ１６は、ユーザがパネルスピーカ２２に接触している位置の座標値が聴取エリア情報４２に示される領域内に含まれている期間のカウントを開始してから所定期間を超えた場合は（ステップＳ１７においてＹＥＳ）、ステップＳ１９の処理を実行する。
【００６１】
ステップＳ１９において、プロセッサ１６は、ユーザの聴取位置が好ましい位置に留まっているものとみなして、タッチパネル２４によるユーザのパネルスピーカ２２との接触位置の検出処理を終了する。例えば、電源制御部１４がタッチパネル２４への電源供給を制限することで、タッチパネル２４によるユーザのパネルスピーカ２２との接触位置の検出処理を終了する。
【００６２】
ステップＳ２１において、プロセッサ１６は、音声通信などパネルスピーカ２２による音声出力を伴う処理の実行状況に基づいて、パネルスピーカ２２による音声出力を終了するか継続するかを判断する。プロセッサ１６は、パネルスピーカ２２による音声出力を終了する処理があるまでパネルスピーカ２２によって音声出力を継続し（ステップＳ２１においてＮＯ）、パネルスピーカ２２による音声出力を終了する場合は（ステップＳ１３においてＹＥＳ）、処理を終了する。
【００６３】
上述のステップＳ１１およびステップＳ１５において、プロセッサ１６は、ユーザに対し、ユーザの聴取位置がパネルスピーカ２２からの音声出力の聴取に好ましい位置にあるか否かをバイブレータ３１、パネルスピーカ２２等により報知している。この報知をする処理の一例を具体的に図示して説明する。
【００６４】
図８は、ユーザがパネルスピーカ２２に接触している位置と、パネルスピーカ２２から出力される音声の聴取に適した領域とに基づいて、無線通信端末１００がユーザに聴取に好ましい位置を報知する処理の例を示す図である。図８（Ａ）は、図７のステップＳ１１において、ユーザがパネルスピーカ２２に接触している位置と、座標範囲４４に示される領域とのずれをパネルスピーカ２２等によって報知する処理の例を示している。図８（Ａ）において、ユーザのパネルスピーカ２２への接触位置の座標値をユーザ接触位置７９として示す。この場合、プロセッサ１６は、ステップＳ９で算出した差分ベクトルに基づいて、ユーザ接触位置７９を高品質聴取エリア７７または通常品質聴取エリア７８に近づけることをユーザに促すための報知を行う。例えば、図８（Ａ）に示すように、ユーザ接触位置７９の上部に高品質聴取エリア７７または通常品質聴取エリア７８が存在する場合に、ユーザに対し、耳の位置を無線通信端末１００の筺体の上部に移動させることを促すため、プロセッサ１６は、「もう少し上が聞こえやすいです」等のメッセージをパネルスピーカ２２によって音声出力する。
【００６５】
また、図８（Ｂ）は、図７のステップＳ１５において、ユーザに対し、ユーザの聴取位置がパネルスピーカ２２からの音声出力の聴取に好ましい位置にあることをパネルスピーカ２２等によって報知する処理の例を示している。図８（Ｂ）において、ユーザ接触位置７９が高品質聴取エリア７７に含まれているため、ユーザの聴取位置は、パネルスピーカ２２からの音声出力の聴取に好ましい位置である。この場合、プロセッサ１６は、ユーザに対し、耳の位置を留めるよう「そこが一番聞こえやすいです」等のメッセージをパネルスピーカ２２によって音声出力する。なお、プロセッサ１６は、パネルスピーカ２２による報知とともにバイブレータ３１を振動させることによる報知をしてもよく、また、図８（Ａ）と図８（Ｂ）とにおいて、バイブレータ３１の振動パターンを異なるものとしてもよい。
【００６６】
＜まとめ＞
本実施形態の無線通信端末１００は、上記の構成を備えて動作することにより、パネルスピーカ２２（パネルレシーバ）の聴取に適した位置をユーザが認識できるようにするための報知を行う。無線通信端末１００は、例えばユーザが通話中に、パネルスピーカからの音声出力が聞き取りやすい位置をユーザに認識させ、ユーザの耳がパネルスピーカからの音声の聞き取りに適した位置に移動した場合に、ユーザの耳の位置が聴取に好ましい位置であることをバイブレータ等によりユーザに知らせる。これにより、ユーザは、パネルスピーカの音響特性が優れた位置を容易に認識することができ、通話時等においてパネルスピーカを利用する場合に、パネルスピーカの音響特性が優れた箇所で通話することが可能となる。
【００６７】
＜変形例＞
上記実施形態の無線通信端末１００を、以下のように構成することもできる。本実施形態において、無線通信端末１００は、聴取モードを「高品質」と「通常品質」のうちのいずれかに設定して、高品質聴取エリア７７または通常品質聴取エリア７８の領域にユーザの耳を導くよう報知を行うものとして説明した。無線通信端末１００は、パネルスピーカ２２による音声出力を利用する場合に、パネルスピーカ２２とユーザの耳との接触位置の履歴を保持し、履歴に応じて、高品質聴取エリア７７や通常品質聴取エリア７８など複数の領域のうち利用頻度の高い領域に対応する聴取モードを優先して設定することとしてもよい。これにより、ユーザの可聴音域の個人差等に応じて聴取モードを設定することができる。
【００６８】
また、無線通信端末１００は、パネルスピーカ２２が音声出力中の状態で、操作部１５への入力操作を受け付けることにより、聴取モードを切り替えることとしてもよい。これにより、ユーザの通話の内容や通話時の状況に応じて聴取モードを切り替えることができる。また、無線通信端末１００を利用するユーザのＩＤ等、ユーザを識別する情報に基づいて、聴取モードを設定してもよい。例えば、音声を聞き取るための可聴音域は個人差があるため、各ユーザに適した聴取モードを予め対応づけて設定してもよい。
【００６９】
また、上記実施形態の説明において、プロセッサ１６は、ステップＳ９で算出した差分ベクトルに基づいて、ステップＳ１１において、ユーザに対し、ユーザがパネルスピーカ２２に接触している位置と、座標範囲４４に示される領域とのずれをバイブレータ３１等によって報知することとして説明したが、これに限らず、プロセッサ１６は、差分ベクトルに基づいて、ユーザのパネルスピーカ２２への接触位置と、座標範囲４４に示される領域との距離の増減に応じて報知方法を変化させることとしてもよい。例えば、プロセッサ１６は、ユーザの耳の位置と座標範囲４４に示される領域との距離の履歴を参照し、距離が徐々に小さくなっている場合は、ユーザの耳の位置が座標範囲４４に示される領域に近づいているとみなして報知方法を変化させることとしてもよい。
【００７０】
また、無線通信端末１００は、パネルスピーカ２２による音声出力を利用するか否かを操作部１５への入力操作を受け付けることにより切り替えることとしてもよい。例えば、無線通信端末１００は、例えば音声着信や音声データを再生する時などにおいて操作部１５への入力操作を受け付けて、パネルスピーカ２２による音声出力を利用すると設定された場合に図７に示す処理を行うこととしてもよい。
【００７１】
また、上記の実施形態の説明では、ステップＳ１１、ステップＳ１５において、プロセッサ１６は、パネルスピーカ２２とバイブレータ３１とにより報知を行うこととして説明したが、ユーザの聴取位置が好ましい位置にあるか否かについてはバイブレータ３１によって報知し、パネルスピーカ２２による音声出力による報知を行わないこととしてもよい。
【００７２】
本発明の無線通信端末は、プロセッサと、その上で実行されるプログラムにより実現される。本発明を実現するプログラムは、通信インタフェースを介してネットワークを利用した送受信等により提供される。
【００７３】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７４】
１１  アンテナ、１２  無線ＲＦ部、１３  電源、１４  電源制御部、１５  操作部、１６  プロセッサ、１７  近接センサ、１８  照度センサ、１９  調光制御部、２０  音声信号処理部、２１  パネルスピーカ駆動部、２２  パネルスピーカ、２３  ディスプレイドライバ、２４  タッチパネル、２５  コントローラ、２６  記憶部、２７  ＬＣＤ、２８  報知部、３１  バイブレータ、４１  音声データ、４２  聴取エリア情報、５１  位置判定部、５２  報知制御部、７１  領域、７２  領域、７３  領域、７４  領域、７５  領域、７６  目安位置表示部、７７  高品質聴取エリア、７８  通常品質聴取エリア、７９  ユーザ接触位置、１００  無線通信端末。
【図１】
2014090324.tif 000003
【図２】
2014090324.tif 000004
【図３】
2014090324.tif 000005
【図４】
2014090324.tif 000006
【図５】
2014090324.tif 000007
【図６】
2014090324.tif 000008
【図７】
2014090324.tif 000009
【図８】
2014090324.tif 000010